(57)【要約】      （修正有）【課題】投影装置と無線通信装置との接続を容易に行う。【解決手段】投影装置１００が、ＩＰアドレスを暗号化して接続設定情報を生成し、接続設定情報を非可逆変換して変換後接続設定情報を生成し、変換後接続設定情報をパスワードとして特定し、変換後接続設定情報のうち特定された文字列をスクリーンに表示し、無線通信装置が、外部からの操作に基づいて文字列を入力し、あらかじめ設定された接続設定情報の一覧に示されたすべての接続設定情報に対して非可逆変換を行って変換後接続設定情報を生成し、入力した文字列と変換後接続設定情報に含まれる文字列とをそれぞれ比較し、一致した文字列に基づいて変換後接続設定情報および接続設定情報を特定し、特定した変換後接続設定情報をパスワードとして特定し、特定した接続設定情報を復号化することでＩＰアドレスを取得する。【選択図】図７
2017143319.tif 000002
【特許請求の範囲】
【請求項１】
投影装置と、無線通信装置とを接続して投影を行う投影システムであって、
前記投影装置は、
当該投影装置に割り当てられたＩＰ（Ｉｎｔｅｒｎｅｔ  Ｐｒｏｔｏｃｏｌ）アドレスを暗号化して、前記無線通信装置と接続するための接続設定情報を生成する暗号化部と、
前記接続設定情報を所定の変換アルゴリズムを用いて非可逆変換して変換後接続設定情報を生成する第１の非可逆変換部と、
前記変換後接続設定情報を、前記無線通信装置と接続するために用いるパスワードとして特定し、前記変換後接続設定情報のうちの第１の位置に配置された文字列を特定する第１の制御部と、
前記特定された文字列を表示する表示部とを有し、
前記無線通信装置は、
外部からの操作に基づいて前記文字列を入力する入力部と、
あらかじめ設定された接続設定情報の一覧に示されたすべての接続設定情報に対して、前記変換アルゴリズムを用いて非可逆変換を行って前記変換後接続設定情報を生成する第２の非可逆変換部と、
前記入力した文字列と、前記第２の非可逆変換部が生成した前記変換後接続設定情報それぞれの前記第１の位置に配置された文字列とをそれぞれ比較し、一致した文字列に基づいて前記変換後接続設定情報および前記接続設定情報を特定する特定部と、
前記特定部が特定した前記変換後接続設定情報を、前記投影装置と接続するために用いるパスワードとして特定する第２の制御部と、
前記特定した前記接続設定情報を復号化することで前記ＩＰアドレスを取得する復号化部とを有する投影システム。
【請求項２】
請求項１に記載の投影システムにおいて、
前記投影装置は、
前記接続設定情報、前記ＩＰアドレスおよび前記パスワードを用いて前記無線通信装置との間で無線通信を行うアクセスポイント部を有し、
前記無線通信装置は、
前記接続設定情報、前記ＩＰアドレスおよび前記パスワードを用いて前記投影装置との間で無線通信を行う通信部を有する投影システム。
【請求項３】
請求項１または請求項２に記載の投影システムにおいて、
前記第１の制御部は、前記変換後接続設定情報のうちの第２の位置に配置された文字列を、前記無線通信装置と接続するために用いるパスワードとして特定し、
前記第２の制御部は、前記特定部が特定した前記変換後接続設定情報のうちの前記第２の位置に配置された文字列を、前記投影装置と接続するために用いるパスワードとして特定する投影システム。
【請求項４】
請求項１から３のいずれか１項に記載の投影システムにおいて、
前記接続設定情報は、ＳＳＩＤ（Ｓｅｒｖｉｃｅ  Ｓｅｔ  Ｉｄｅｎｔｉｆｉｅｒ）である投影システム。
【請求項５】
請求項１から４のいずれか１項に記載の投影システムにおいて、
前記変換アルゴリズムは、ＭＤ５（Ｍｅｓｓａｇｅ  Ｄｉｇｅｓｔ  Ａｌｇｏｒｉｔｈｍ  ５）である投影システム。
【請求項６】
無線通信装置と接続して投影を行う投影装置であって、
当該投影装置に割り当てられたＩＰアドレスを暗号化して、前記無線通信装置と接続するための接続設定情報を生成する暗号化部と、
前記接続設定情報を所定の変換アルゴリズムを用いて非可逆変換して変換後接続設定情報を生成する非可逆変換部と、
前記変換後接続設定情報を、前記無線通信装置と接続するために用いるパスワードとして特定し、前記変換後接続設定情報のうちの所定の位置に配置された文字列を特定する制御部と、
前記特定された文字列を表示する表示部とを有する投影装置。
【請求項７】
投影を行う投影装置と接続する無線通信装置であって、
外部からの操作に基づいて、前記投影装置が表示する文字列を入力する入力部と、
あらかじめ設定された接続設定情報の一覧に示されたすべての接続設定情報に対して、所定の変換アルゴリズムを用いて非可逆変換を行って変換後接続設定情報を生成する非可逆変換部と、
前記入力した文字列と、前記非可逆変換部が生成した前記変換後接続設定情報それぞれの第１の位置に配置された文字列とをそれぞれ比較し、一致した文字列に基づいて前記変換後接続設定情報および前記接続設定情報を特定する特定部と、
前記特定部が特定した前記変換後接続設定情報を、前記投影装置と接続するために用いるパスワードとして特定する制御部と、
前記特定した前記接続設定情報を復号化することで前記投影装置に割り当てられたＩＰアドレスを取得する復号化部とを有する無線通信装置。
【請求項８】
投影装置が投影を行うために、該投影装置と無線通信装置とを接続する接続方法であって、
前記投影装置に割り当てられたＩＰアドレスを暗号化して、前記無線通信装置と接続するための接続設定情報を生成する処理と、
前記接続設定情報を所定の変換アルゴリズムを用いて非可逆変換して変換後接続設定情報を生成する処理と、
前記変換後接続設定情報を、前記無線通信装置と接続するために用いるパスワードとして特定する処理と、
前記変換後接続設定情報のうちの第１の位置に配置された文字列を前記投影装置に表示させる処理と、
前記無線通信装置の外部からの操作に基づいて前記文字列を前記無線通信装置に入力する処理と、
あらかじめ設定された接続設定情報の一覧に示されたすべての接続設定情報に対して、前記変換アルゴリズムを用いて非可逆変換を行って前記変換後接続設定情報を生成する処理と、
前記変換後接続設定情報それぞれの前記第１の位置に配置された文字列と前記無線通信装置に入力した文字列とをそれぞれ比較する処理と、
前記比較の結果、一致した文字列に基づいて前記変換後接続設定情報および前記接続設定情報を特定する処理と、
前記特定した前記変換後接続設定情報を、前記投影装置と接続するために用いるパスワードとして特定する処理と、
前記特定した前記接続設定情報を復号化することで前記ＩＰアドレスを取得する処理とを行う接続方法。
【請求項９】
無線通信装置と接続して投影を行う投影装置に、
当該投影装置に割り当てられたＩＰアドレスを暗号化して、前記無線通信装置と接続するための接続設定情報を生成する手順と、
前記接続設定情報を所定の変換アルゴリズムを用いて非可逆変換して変換後接続設定情報を生成する手順と、
前記変換後接続設定情報を、前記無線通信装置と接続するために用いるパスワードとして特定する手順と、
前記変換後接続設定情報のうちの所定の位置に配置された文字列を特定する手順と、
前記特定された文字列を表示する手順とを実行させるためのプログラム。
【請求項１０】
投影を行う投影装置と接続する無線通信装置に、
外部からの操作に基づいて、前記投影装置が表示する文字列を入力する手順と、
あらかじめ設定された接続設定情報の一覧に示されたすべての接続設定情報に対して、所定の変換アルゴリズムを用いて非可逆変換を行って変換後接続設定情報を生成する手順と、
前記入力した文字列と、前記変換後接続設定情報それぞれの第１の位置に配置された文字列とをそれぞれ比較し、一致した文字列に基づいて前記変換後接続設定情報および前記接続設定情報を特定する手順と、
前記特定した前記変換後接続設定情報を、前記投影装置と接続するために用いるパスワードとして特定する手順と、
前記特定した前記接続設定情報を復号化することで前記投影装置に割り当てられたＩＰアドレスを取得する手順とを実行させるためのプログラム。
【発明の詳細な説明】
【技術分野】
【０００１】
本発明は、投影を行う投影システム、投影装置、無線通信装置、投影装置と無線通信装置との接続方法およびプログラムに関する。
【背景技術】
【０００２】
近年、プロジェクタ等の投影装置から映像をスクリーンへ投影する場合、投影装置にＰＣ（パーソナルコンピュータ）等の無線通信装置を接続し、無線通信装置から送信されてきた、映像を投影するための信号に基づいて、投影装置が映像を投影する。このような形態は、例えば、投影装置を用いた会議システムにおいて利用されている。
【０００３】
このように、投影装置に無線通信装置を接続させるためには、投影装置が利用している無線通信ネットワークのＳＳＩＤ（Ｓｅｒｖｉｃｅ  Ｓｅｔ  Ｉｄｅｎｔｉｆｉｅｒ）およびパスワードと、投影装置に割り当てられているＩＰアドレス（Ｉｎｔｅｒｎｅｔ  Ｐｒｏｔｏｃｏｌ）とを無線通信装置に設定する必要がある。例えば、投影装置となるプロジェクタにＵＳＢ（Ｕｎｉｖｅｒｓａｌ  Ｓｅｒｉａｌ  Ｂｕｓ）メモリが接続されると、プロジェクタに設定されているＳＳＩＤ等のネットワーク設定情報がＵＳＢメモリに書き込まれる。その後、ネットワーク設定情報が書き込まれたＵＳＢメモリが無線通信装置となるコンピュータに接続されると、コンピュータがＵＳＢメモリからネットワーク設定情報を読み出して、プロジェクタとの接続を確立させる技術が考えられている（例えば、特許文献１参照。）。
【先行技術文献】
【特許文献】
【０００４】
【特許文献１】特開２０１３−１４１２５６号公報
【発明の概要】
【発明が解決しようとする課題】
【０００５】
上述した技術については、投影装置や無線通信装置へのＵＳＢメモリの脱着を行わなければならず、その手間がかかってしまうという問題点がある。
【０００６】
本発明の目的は、上述した課題を解決する投影システム、投影装置、無線通信装置、投影装置と無線通信装置との接続方法およびプログラムを提供することである。
【課題を解決するための手段】
【０００７】
本発明の投影システムは、
投影装置と、無線通信装置とを接続して投影を行う投影システムであって、
前記投影装置は、
当該投影装置に割り当てられたＩＰ（Ｉｎｔｅｒｎｅｔ  Ｐｒｏｔｏｃｏｌ）アドレスを暗号化して、前記無線通信装置と接続するための接続設定情報を生成する暗号化部と、
前記接続設定情報を所定の変換アルゴリズムを用いて非可逆変換して変換後接続設定情報を生成する第１の非可逆変換部と、
前記変換後接続設定情報を、前記無線通信装置と接続するために用いるパスワードとして特定し、前記変換後接続設定情報のうちの第１の位置に配置された文字列を特定する第１の制御部と、
前記特定された文字列を表示する表示部とを有し、
前記無線通信装置は、
外部からの操作に基づいて前記文字列を入力する入力部と、
あらかじめ設定された接続設定情報の一覧に示されたすべての接続設定情報に対して、前記変換アルゴリズムを用いて非可逆変換を行って前記変換後接続設定情報を生成する第２の非可逆変換部と、
前記入力した文字列と、前記第２の非可逆変換部が生成した前記変換後接続設定情報それぞれの前記第１の位置に配置された文字列とをそれぞれ比較し、一致した文字列に基づいて前記変換後接続設定情報および前記接続設定情報を特定する特定部と、
前記特定部が特定した前記変換後接続設定情報を、前記投影装置と接続するために用いるパスワードとして特定する第２の制御部と、
前記特定した前記接続設定情報を復号化することで前記ＩＰアドレスを取得する復号化部とを有する。
また、本発明の投影装置は、
無線通信装置と接続して投影を行う投影装置であって、
当該投影装置に割り当てられたＩＰアドレスを暗号化して、前記無線通信装置と接続するための接続設定情報を生成する暗号化部と、
前記接続設定情報を所定の変換アルゴリズムを用いて非可逆変換して変換後接続設定情報を生成する非可逆変換部と、
前記変換後接続設定情報を、前記無線通信装置と接続するために用いるパスワードとして特定し、前記変換後接続設定情報のうちの所定の位置に配置された文字列を特定する制御部と、
前記特定された文字列を表示する表示部とを有する。
また、本発明の無線通信装置は、
投影を行う投影装置と接続する無線通信装置であって、
外部からの操作に基づいて、前記投影装置が表示する文字列を入力する入力部と、
あらかじめ設定された接続設定情報の一覧に示されたすべての接続設定情報に対して、所定の変換アルゴリズムを用いて非可逆変換を行って変換後接続設定情報を生成する非可逆変換部と、
前記入力した文字列と、前記非可逆変換部が生成した前記変換後接続設定情報それぞれの第１の位置に配置された文字列とをそれぞれ比較し、一致した文字列に基づいて前記変換後接続設定情報および前記接続設定情報を特定する特定部と、
前記特定部が特定した前記変換後接続設定情報を、前記投影装置と接続するために用いるパスワードとして特定する制御部と、
前記特定した前記接続設定情報を復号化することで前記投影装置に割り当てられたＩＰアドレスを取得する復号化部とを有する。
また、本発明の接続方法は、
投影装置が投影を行うために、該投影装置と無線通信装置とを接続する接続方法であって、
前記投影装置に割り当てられたＩＰアドレスを暗号化して、前記無線通信装置と接続するための接続設定情報を生成する処理と、
前記接続設定情報を所定の変換アルゴリズムを用いて非可逆変換して変換後接続設定情報を生成する処理と、
前記変換後接続設定情報を、前記無線通信装置と接続するために用いるパスワードとして特定する処理と、
前記変換後接続設定情報のうちの第１の位置に配置された文字列を前記投影装置に表示させる処理と、
前記無線通信装置の外部からの操作に基づいて前記文字列を前記無線通信装置に入力する処理と、
あらかじめ設定された接続設定情報の一覧に示されたすべての接続設定情報に対して、前記変換アルゴリズムを用いて非可逆変換を行って前記変換後接続設定情報を生成する処理と、
前記変換後接続設定情報それぞれの前記第１の位置に配置された文字列と前記無線通信装置に入力した文字列とをそれぞれ比較する処理と、
前記比較の結果、一致した文字列に基づいて前記変換後接続設定情報および前記接続設定情報を特定する処理と、
前記特定した前記変換後接続設定情報を、前記投影装置と接続するために用いるパスワードとして特定する処理と、
前記特定した前記接続設定情報を復号化することで前記ＩＰアドレスを取得する処理とを行う。
また、本発明のプログラムは、
無線通信装置と接続して投影を行う投影装置に実行させるためのプログラムであって、
当該投影装置に割り当てられたＩＰアドレスを暗号化して、前記無線通信装置と接続するための接続設定情報を生成する手順と、
前記接続設定情報を所定の変換アルゴリズムを用いて非可逆変換して変換後接続設定情報を生成する手順と、
前記変換後接続設定情報を、前記無線通信装置と接続するために用いるパスワードとして特定する手順と、
前記変換後接続設定情報のうちの所定の位置に配置された文字列を特定する手順と、
前記特定された文字列を表示する手順とを実行させる。
また、投影を行う投影装置と接続する無線通信装置に実行させるためのプログラムであって、
外部からの操作に基づいて、前記投影装置が表示する文字列を入力する手順と、
あらかじめ設定された接続設定情報の一覧に示されたすべての接続設定情報に対して、所定の変換アルゴリズムを用いて非可逆変換を行って変換後接続設定情報を生成する手順と、
前記入力した文字列と、前記変換後接続設定情報それぞれの第１の位置に配置された文字列とをそれぞれ比較し、一致した文字列に基づいて前記変換後接続設定情報および前記接続設定情報を特定する手順と、
前記特定した前記変換後接続設定情報を、前記投影装置と接続するために用いるパスワードとして特定する手順と、
前記特定した前記接続設定情報を復号化することで前記投影装置に割り当てられたＩＰアドレスを取得する手順とを実行させる。
【発明の効果】
【０００８】
以上説明したように、本発明においては、投影装置と無線通信装置との接続を容易に行うことができる。
【図面の簡単な説明】
【０００９】
【図１】本発明の投影システムの実施の一形態を示す図である。
【図２】図１に示したプロジェクタの内部構成の一例を示す図である。
【図３】図１に示したＰＣの内部構成の一例を示す図である。
【図４】図３に示した記憶部が記憶しているＳＳＩＤの一覧の一例を示す図である。
【図５】図１に示した投影システムにおいて、プロジェクタとＰＣとを接続する接続方法のうち、プロジェクタが行う処理の一例を説明するためのフローチャートである。
【図６】図５に示したフローチャートを用いて説明したプロジェクタが行う処理の具体例を説明するためのフローチャートである。
【図７】図１に示した投影システムにおいて、プロジェクタとＰＣとを接続する接続方法のうち、ＰＣが行う処理の一例を説明するためのフローチャートである。
【図８】図３に示した制御部が取得して記憶部に記憶させたＳＳＩＤの一覧の一例を示す図である。
【図９】図３に示した非可逆変換部がＳＳＩＤのそれぞれを変換して得た文字列の一例を示す図である。
【発明を実施するための形態】
【００１０】
以下に、本発明の実施の形態について図面を参照して説明する。
【００１１】
図１は、本発明の投影システムの実施の一形態を示す図である。本形態における投影システムは図１に示すように、プロジェクタ１００と、ＰＣ２００と、スクリーン３００とを有している。ＰＣ２００は、無線通信機能を有するＰＣ（Ｐｅｒｓｏｎａｌ  Ｃｏｍｐｕｔｅｒ）等の無線通信装置である。プロジェクタ１００は、ＰＣ２００と無線で接続され、ＰＣ２００から送信されてきた無線信号に含まれる画像を表示するための情報に基づいて、スクリーン３００へ画像を投影する投影装置である。スクリーン３００は、画像が投影される一般的なスクリーンで良い。このような投影システムは、例えば、会議の参加者がそれぞれ持参のＰＣを操作して、資料をプロジェクタ１００からスクリーン３００へ投影しながら説明や話し合いを行う会議システムに適用される。
【００１２】
図２は、図１に示したプロジェクタ１００の内部構成の一例を示す図である。図１に示したプロジェクタ１００は図２に示すように、暗号化部１１０と、非可逆変換部１２０と、制御部１３０と、表示部１４０と、記憶部１５０と、アクセスポイント部１６０とを有している。なお、図２には、図１に示したプロジェクタ１００が具備する構成要素のうち、本実施の形態に関わる主要な構成要素の一例を示す。
【００１３】
暗号化部１１０は、プロジェクタ１００に割り当てられたＩＰ（Ｉｎｔｅｒｎｅｔ  Ｐｒｏｔｏｃｏｌ）アドレスを暗号化することで、ＰＣ２００と接続するための接続設定情報を生成する。この接続設定情報は、ＳＳＩＤ（Ｓｅｒｖｉｃｅ  Ｓｅｔ  Ｉｄｅｎｔｉｆｉｅｒ）である。
非可逆変換部１２０は、暗号化部１１０が生成したＳＳＩＤを所定の変換アルゴリズムを用いて非可逆変換して変換後接続設定情報を生成する第１の非可逆変換部である。この変換アルゴリズムは、ＭＤ５（Ｍｅｓｓａｇｅ  Ｄｉｇｅｓｔ  Ａｌｇｏｒｉｔｈｍ  ５）、ＳＨＡ１（Ｓｅｃｕｒｅ  Ｈａｓｈ  Ａｌｇｏｒｉｔｈｍ  １）、その他の変換アルゴリズムで良く、ここでは特に規定しない。変換アルゴリズムが変われば、変換後の文字列の数（長さ）も変わる。
制御部１３０は、非可逆変換されたＳＳＩＤである変換後接続設定情報を、ＰＣ２００と接続するために用いるパスワードとして特定する第１の制御部である。また、制御部１３０は、変換後接続設定情報のうちの所定の位置（第１の位置）に配置された文字列を特定する。
表示部１４０は、ＰＣ２００から送信されてきた画像をスクリーン３００へ投影する。また、表示部１４０は、制御部１３０が特定した文字列を表示する。この表示方法は、ディスプレイのようなモニタに表示するものであっても良いし、スクリーン３００へ投影して表示するものであっても良い。
記憶部１５０は、制御部１３０が処理する情報や、上述した演算を行って得た値、ＩＰアドレス、表示部１４０が表示する画像等を記憶する。
アクセスポイント部１６０は、ＳＳＩＤ、ＩＰアドレスおよびパスワードを用いてＰＣ２００との間で無線通信を行う。
【００１４】
図３は、図１に示したＰＣ２００の内部構成の一例を示す図である。図１に示したＰＣ２００は図３に示すように、入力部２１０と、記憶部２２０と、非可逆変換部２３０と、特定部２４０と、制御部２５０と、復号化部２６０と、通信部２７０と、表示部２８０とを有している。なお、図３には、図１に示したＰＣ２００が具備する構成要素のうち、本実施の形態に関わる主要な構成要素の一例を示す。
【００１５】
入力部２１０は、外部からの操作に基づいて文字列等の情報を入力する。入力部２１０として、例えば、キーボードやタッチパネル、マウス等が挙げられる。
記憶部２２０は、あらかじめ設定されたＳＳＩＤの一覧や、制御部２５０が処理する情報を記憶する。
非可逆変換部２３０は、記憶部２２０に記憶されているＳＳＩＤの一覧に示されたすべてのＳＳＩＤに対して、変換アルゴリズムを用いて非可逆変換して変換後接続設定情報を生成する第２の非可逆変換部である。ここで非可逆変換部２３０が使用する変換アルゴリズムは、非可逆変換部１２０が使用する変換アルゴリズムと同じものである。
特定部２４０は、入力部２１０が入力した文字列と、非可逆変換部２３０が非可逆変換したＳＳＩＤである変換後接続設定情報それぞれの所定の位置（第１の位置）に配置された文字列とをそれぞれ比較する。特定部２４０は、比較の結果、一致した文字列に基づいて変換後接続設定情報およびＳＳＩＤを特定する。この特定方法の詳細については、後述する。
制御部２５０は、特定部２４０が特定した変換後接続設定情報を、プロジェクタ１００と接続するために用いるパスワードとして特定する第２の制御部である。
復号化部２６０は、特定部２４０が特定したＳＳＩＤを復号化することでＩＰアドレスを取得する。
通信部２７０は、ＳＳＩＤ、ＩＰアドレスおよびパスワードを用いてプロジェクタ１００との間で無線通信を行う。
表示部２８０は、一般的なＰＣに具備されているディスプレイと同様に、情報を表示する。
【００１６】
図４は、図３に示した記憶部２２０が記憶しているＳＳＩＤの一覧の一例を示す図である。図３に示した記憶部２２０には図４に示すように、ＳＳＩＤの一覧が記憶されている。この一覧は、例えば、ＰＣ２００に搭載されているＯＳ（Ｏｐｅｒａｔｉｎｇ  Ｓｙｓｔｅｍ）が無線ＬＡＮ（Ｌｏｃａｌ  Ａｒｅａ  Ｎｅｔｗｏｒｋ）に対応している場合、ＳＳＩＤの一覧を取得するために提供されているＡＰＩ（Ａｐｐｌｉｃａｔｉｏｎ  Ｐｒｏｇｒａｍｍｉｎｇ  Ｉｎｔｅｒｆａｃｅ）の機能を利用して取得するものであっても良いし、その他の方法で取得するものであっても良い。
【００１７】
以下に、図１に示した投影システムにおいて、プロジェクタ１００とＰＣ２００とを接続する接続方法について説明する。
【００１８】
図５は、図１に示した投影システムにおいて、プロジェクタ１００とＰＣ２００とを接続する接続方法のうち、プロジェクタ１００が行う処理の一例を説明するためのフローチャートである。
まず、制御部１３０がプロジェクタ１００のＩＰアドレスを決定する（ステップＳ１）。この決定方法は、利用者があらかじめ設定した値を利用するものであっても良く、特に規定しない。続いて、暗号化部１１０が、決定したＩＰアドレスを暗号化してＳＳＩＤを生成する（ステップＳ２）。この暗号化処理は、可逆性を持つものであり、図３に示したＰＣ２００の復号化部２６０でＩＰアドレスを復号化できる処理である。
すると、非可逆変換部１２０は、暗号化部１１０が生成したＳＳＩＤの文字列に対して非可逆性の変換を行う（ステップＳ３）。制御部１３０は、変換後の文字列（変換後接続設定情報）の全てまたは一部をＳＳＩＤのパスワードとして特定し、記憶部１５０に登録する（ステップＳ４）。制御部１３０は、プロジェクタ１００を起動した際、変換後の文字列内の４文字を特定し（ステップＳ５）、表示部１４０は、特定された４文字の文字列をスクリーン３００上に表示（投写）する（ステップＳ６）。ここで、制御部１３０が特定する文字数を４文字としたが、これに限らず、また、その文字列の位置も限定しない。
【００１９】
図６は、図５に示したフローチャートを用いて説明したプロジェクタ１００が行う処理の具体例を説明するためのフローチャートである。
まず、制御部１３０がプロジェクタ１００のＩＰアドレスを「１９２．１６８.０．１０」決定する（ステップＳ１１）。続いて、暗号化部１１０が暗号化を行うが、ここで暗号化部１１０が行う暗号化は、「２ビット右シフト」と「固定文字列追加」とを行うものとする。暗号化部１１０は、ＩＰアドレス「１９２．１６８.０．１０」の１６進数表記「Ｃ０Ａ８０００Ａ」を２ビット右シフトした「Ｂ０２Ａ０００２」の先頭に固定文字列「ＮＰＡＰ」を付加して「ＮＰＡＰＢ０２Ａ０００２」をＳＳＩＤとして生成する（ステップＳ１２）。ここで、２ビット右シフトや固定文字列「ＮＰＡＰ」の付加は暗号化の一例であって、他の暗号化を用いるものであっても良いことは言うまでもない。ＩＰアドレスは機器毎に固有のＩＤ（Ｉｄｅｎｔｉｆｉｃａｔｉｏｎ）であるため、このようにＩＰアドレスを暗号化して生成されたＳＳＩＤもまた機器固有の情報になる。
続いて、非可逆変換部１２０が非可逆性の変換を行うが、ここで非可逆変換部１２０が行う非可逆変換の変換アルゴリズムは、ＭＤ５を利用するものとする。非可逆変換部１２０は、ＭＤ５を利用してＳＳＩＤである「ＮＰＡＰＢ０２Ａ０００２」を「４１４１９ＢＢ３２８Ｃ６７２ＥＣ６ＦＤＡＥＥＡ３５８３３９２ＢＢ」へ変換する（ステップＳ１３）。制御部１３０は、変換後の文字列「４１４１９ＢＢ３２８Ｃ６７２ＥＣ６ＦＤＡＥＥＡ３５８３３９２ＢＢ」（変換後接続設定情報）の第２の位置に配置された上位１６文字「４１４１９ＢＢ３２８Ｃ６７２ＥＣ」をＳＳＩＤのパスワードとして特定する（ステップＳ１４）。この第２の位置は、プロジェクタ１００とＰＣ２００との間であらかじめ決定されているものである。また、制御部１３０は、変換後接続設定情報の文字列のうち、末尾４文字「９２ＢＢ」を特定し（ステップＳ１５）、表示部１４０は、特定された４文字の文字列「９２ＢＢ」をスクリーン３００上に表示（投写）する（ステップＳ１６）。
【００２０】
図７は、図１に示した投影システムにおいて、プロジェクタ１００とＰＣ２００とを接続する接続方法のうち、ＰＣ２００が行う処理の一例を説明するためのフローチャートである。
まず、制御部２５０は、アプリケーションを起動することでＰＣ２００から接続できるＳＳＩＤの一覧を取得する（ステップＳ２１）。このＳＳＩＤの一覧の取得方法は、上述した通りである。制御部２５０は、取得したＳＳＩＤの一覧を記憶部２２０に記憶させる。
【００２１】
図８は、図３に示した制御部２５０が取得して記憶部２２０に記憶させたＳＳＩＤの一覧の一例を示す図である。
図８に示すように、「ＷＡＲＰＳＴＡＲ−０１２３４５」、「ＷＡＲＰＳＴＡＲ−９８７６５４」、「ａｔｅｒｍ−ａｂｃｄｅｆ−ｇ」、「ａｔｅｒｍ−０１２３４５−ａｃ」、「ＮＰＡＰ０１２３４５６７」および「ＮＰＡＰＢ０２Ａ０００２」の６つのＳＳＩＤが記憶部２２０に記憶されている。
【００２２】
続いて、非可逆変換部２３０は、記憶部２２０に記憶されている一覧に含まれる全てのＳＳＩＤに対して、ステップＳ３で非可逆変換部１２０が行った非可逆変換と同じ変換を行う（ステップＳ２２）。制御部１３０は、非可逆変換部１２０がＳＳＩＤそれぞれを変換した結果、得られた文字列（変換後接続設定情報）を記憶部２２０に記憶させておく。
【００２３】
図９は、図３に示した非可逆変換部２３０がＳＳＩＤのそれぞれを変換して得た文字列の一例を示す図である。
図９に示すように、「１ＤＡ９０３ＥＣ３Ａ３５８ＣＣ４０ＢＥＣ８ＥＦＤＣ４８Ｆ４Ｂ
Ａ５」、「ＦＥ５Ｄ５３Ｄ２ＣＥ３９２９Ａ６５６８ＣＣＦＦ５ＥＣ１６７１Ｂ８」、「ＡＢ３７２２２５９８２５１７Ｄ９２４１５４ＥＥ８３１ＤＢ６７Ａ９」、「６３Ｂ１Ｄ１Ｄ２５５Ｄ５７４１ＣＡ９２３ＡＣＥ１Ｃ３Ｃ４Ｃ８ＦＤ」、「０Ａ７３２ＡＡ８４Ｃ６２ＣＣＢ７７７Ｆ５７７Ｆ３００９８４Ｃ６Ｆ」および「４１４１９ＢＢ３２８Ｃ６７２
ＥＣ６ＦＤＡＥＥＡ３５８３３９２ＢＢ」の６つの文字列（変換後接続設定情報）が記憶部２２０に記憶されている。
このとき、記憶部２２０は、ＳＳＩＤ（図８に示したもの）と、そのＳＳＩＤが変換された文字列（図９に示したもの）とを対応付けて記憶しておく。
続いて、表示部２８０は、利用者に対して、プロジェクタ１００の表示部１４０が表示している文字列の入力を促す表示を行う（ステップＳ２３）。この表示は、例えば「現在プロジェクタが表示している４文字の文字列を入力してください」等、利用者が表示を見て、文字列の入力を行うことを促す表示であれば良い。
その後、入力部２１０が、文字列の入力を受け付けると（ステップＳ２４）、特定部２４０は、記憶部２２０に記憶されている、非可逆変換部２３０が変換して得た文字列（変換後接続設定情報）を１つずつ抽出する（ステップＳ２５）。特定部２４０は、入力部２１０が入力した文字列と抽出した文字列の第１の位置に配置されている文字列とを比較する（ステップＳ２６）。
特定部２４０は、入力部２１０が入力した文字列と抽出した文字列の第１の位置に配置されている文字列とが一致しない場合、記憶部２２０に記憶されている、非可逆変換部２３０が変換して得た文字列をうち、まだ抽出していない文字列から１つを抽出し（ステップＳ２７）、ステップＳ２６の処理を行う。
一方、特定部２４０は、入力部２１０が入力した文字列と抽出した文字列の第１の位置に配置されている文字列とが一致する場合、その文字列が含まれている文字列に対応するＳＳＩＤを特定する（ステップＳ２８）。例えば、入力部２１０が入力した文字列が「９２ＢＢ」である場合、非可逆変換部２３０が変換して得た文字列「４１４１９ＢＢ３２８Ｃ６７２ＥＣ６ＦＤＡＥＥＡ３５８３３９２ＢＢ」の第１の位置が「９２ＢＢ」であり、それらは一致する。そのため、「４１４１９ＢＢ３２８Ｃ６７２ＥＣ６ＦＤＡＥＥＡ３５８３３９２ＢＢ」と対応付けられている「ＮＰＡＰＢ０２Ａ０００２」がＳＳＩＤとして特定される。このＳＳＩＤを使用して、通信部２７０は、通信ネットワークと接続する。
また、パスワードは、非可逆変換部２３０が変換して得た文字列の第２の位置に配置された上位１６文字であるため、制御部２５０は、「４１４１９ＢＢ３２８Ｃ６７２ＥＣ」をＳＳＩＤのパスワードとして特定し、記憶部２２０に登録する（ステップＳ２９）。パスワードは、上位１６文字に限らず、文字数や利用する文字位置は他の数や位置でも良い。登録されたパスワードは、プロジェクタ１００が接続されている通信ネットワークと同じ通信ネットワークへの接続に利用される。
また、復号化部２６０は、特定部２４０が特定したＳＳＩＤ「ＮＰＡＰＢ０２Ａ０００２」を復号化することでプロジェクタ１００のＩＰアドレスを取得し、記憶部２２０に登録する（ステップＳ３０）。この復号化処理では、復号化部２６０は、「ＮＰＡＰＢ０２Ａ０００２」から文字列「ＮＰＡＰ」を削除した「Ｂ０２Ａ０００２」を１６進数として２ビット左シフトを行う。復号化された結果、「Ｃ０Ａ８００１０」の１６進数が得られ、これをＩＰアドレスとして扱うと「１９２．１６８.０．１０」となる。登録されたＩＰアドレスは、プロジェクタ１００への接続に利用される。
【００２４】
なお、会議の秘匿性を高めるために、プロジェクタ１００が起動する度にＩＰアドレスが変更されるものであっても良い。この場合、暗号化して生成されるＳＳＩＤもその都度変わり、プロジェクタ１００が表示する文字列も変わる。
【００２５】
このように、利用者は、ネットワーク環境のＩＤ（ＳＳＩＤ）やプロジェクタ１００のＩＰアドレスを事前に調べること無く、所定の文字数の文字列をＰＣ２００に入力するだけで、ＰＣ２００の通信ネットワーク上への接続とプロジェクタ１００への接続とを行い、会議システムでの会議を開始することができる。また、ＰＣ２００でプロジェクタ１００と同じ非可逆性変換を全てのＳＳＩＤに対して行うことで、少ない情報量でも高い精度で希望のネットワークを特定することができる。
【００２６】
上述したプロジェクタ１００、ＰＣ２００それぞれに設けられた各構成要素が行う処理は、目的に応じてそれぞれ作製された論理回路で行うようにしても良い。また、処理内容を手順として記述したコンピュータプログラム（以下、プログラムと称する）をプロジェクタ１００、ＰＣ２００それぞれにて読取可能な記録媒体に記録し、この記録媒体に記録されたプログラムをプロジェクタ１００、ＰＣ２００それぞれに読み込ませ、実行するものであっても良い。プロジェクタ１００、ＰＣ２００それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃなどの移設可能な記録媒体の他、プロジェクタ１００、ＰＣ２００それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｋ  Ｄｒｉｖｅ）等を指す。この記録媒体に記録されたプログラムは、プロジェクタ１００、ＰＣ２００それぞれに設けられたＣＰＵ（Ｃｅｎｔｒａｌ  Ｐｒｏｃｅｓｓｉｎｇ  Ｕｎｉｔ）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００２７】
上記の実施の形態の一部または全部は、以下の付記のようにも記載され得るが、以下には限られない。
（付記１）投影装置と、無線通信装置とを接続して投影を行う投影システムであって、
前記投影装置は、
当該投影装置に割り当てられたＩＰ（Ｉｎｔｅｒｎｅｔ  Ｐｒｏｔｏｃｏｌ）アドレスを暗号化して、前記無線通信装置と接続するための接続設定情報を生成する暗号化部と、
前記接続設定情報を所定の変換アルゴリズムを用いて非可逆変換して変換後接続設定情報を生成する第１の非可逆変換部と、
前記変換後接続設定情報を、前記無線通信装置と接続するために用いるパスワードとして特定し、前記変換後接続設定情報のうちの第１の位置に配置された文字列を特定する第１の制御部と、
前記特定された文字列を表示する表示部とを有し、
前記無線通信装置は、
外部からの操作に基づいて前記文字列を入力する入力部と、
あらかじめ設定された接続設定情報の一覧に示されたすべての接続設定情報に対して、前記変換アルゴリズムを用いて非可逆変換を行って前記変換後接続設定情報を生成する第２の非可逆変換部と、
前記入力した文字列と、前記第２の非可逆変換部が生成した前記変換後接続設定情報それぞれの前記第１の位置に配置された文字列とをそれぞれ比較し、一致した文字列に基づいて前記変換後接続設定情報および前記接続設定情報を特定する特定部と、
前記特定部が特定した前記変換後接続設定情報を、前記投影装置と接続するために用いるパスワードとして特定する第２の制御部と、
前記特定した前記接続設定情報を復号化することで前記ＩＰアドレスを取得する復号化部とを有する投影システム。
（付記２）前記投影装置は、
前記接続設定情報、前記ＩＰアドレスおよび前記パスワードを用いて前記無線通信装置との間で無線通信を行うアクセスポイント部を有し、
前記無線通信装置は、
前記接続設定情報、前記ＩＰアドレスおよび前記パスワードを用いて前記投影装置との間で無線通信を行う通信部を有する、付記１に記載の投影システム。
（付記３）前記第１の制御部は、前記変換後接続設定情報のうちの第２の位置に配置された文字列を、前記無線通信装置と接続するために用いるパスワードとして特定し、
前記第２の制御部は、前記特定部が特定した前記変換後接続設定情報のうちの前記第２の位置に配置された文字列を、前記投影装置と接続するために用いるパスワードとして特定する、付記１または付記２に記載の投影システム。
（付記４）前記接続設定情報は、ＳＳＩＤ（Ｓｅｒｖｉｃｅ  Ｓｅｔ  Ｉｄｅｎｔｉｆｉｅｒ）である、付記１から３のいずれか１項に記載の投影システム。
（付記５）前記変換アルゴリズムは、ＭＤ５（Ｍｅｓｓａｇｅ  Ｄｉｇｅｓｔ  Ａｌｇｏｒｉｔｈｍ  ５）である、付記１から４のいずれか１項に記載の投影システム。
（付記６）無線通信装置と接続して投影を行う投影装置であって、
当該投影装置に割り当てられたＩＰアドレスを暗号化して、前記無線通信装置と接続するための接続設定情報を生成する暗号化部と、
前記接続設定情報を所定の変換アルゴリズムを用いて非可逆変換して変換後接続設定情報を生成する非可逆変換部と、
前記変換後接続設定情報を、前記無線通信装置と接続するために用いるパスワードとして特定し、前記変換後接続設定情報のうちの所定の位置に配置された文字列を特定する制御部と、
前記特定された文字列を表示する表示部とを有する投影装置。
（付記７）投影を行う投影装置と接続する無線通信装置であって、
外部からの操作に基づいて、前記投影装置が表示する文字列を入力する入力部と、
あらかじめ設定された接続設定情報の一覧に示されたすべての接続設定情報に対して、所定の変換アルゴリズムを用いて非可逆変換を行って変換後接続設定情報を生成する非可逆変換部と、
前記入力した文字列と、前記非可逆変換部が生成した前記変換後接続設定情報それぞれの第１の位置に配置された文字列とをそれぞれ比較し、一致した文字列に基づいて前記変換後接続設定情報および前記接続設定情報を特定する特定部と、
前記特定部が特定した前記変換後接続設定情報を、前記投影装置と接続するために用いるパスワードとして特定する制御部と、
前記特定した前記接続設定情報を復号化することで前記投影装置に割り当てられたＩＰアドレスを取得する復号化部とを有する無線通信装置。
（付記８）投影装置が投影を行うために、該投影装置と無線通信装置とを接続する接続方法であって、
前記投影装置に割り当てられたＩＰアドレスを暗号化して、前記無線通信装置と接続するための接続設定情報を生成する処理と、
前記接続設定情報を所定の変換アルゴリズムを用いて非可逆変換して変換後接続設定情報を生成する処理と、
前記変換後接続設定情報を、前記無線通信装置と接続するために用いるパスワードとして特定する処理と、
前記変換後接続設定情報のうちの第１の位置に配置された文字列を前記投影装置に表示させる処理と、
前記無線通信装置の外部からの操作に基づいて前記文字列を前記無線通信装置に入力する処理と、
あらかじめ設定された接続設定情報の一覧に示されたすべての接続設定情報に対して、前記変換アルゴリズムを用いて非可逆変換を行って前記変換後接続設定情報を生成する処理と、
前記変換後接続設定情報それぞれの前記第１の位置に配置された文字列と前記無線通信装置に入力した文字列とをそれぞれ比較する処理と、
前記比較の結果、一致した文字列に基づいて前記変換後接続設定情報および前記接続設定情報を特定する処理と、
前記特定した前記変換後接続設定情報を、前記投影装置と接続するために用いるパスワードとして特定する処理と、
前記特定した前記接続設定情報を復号化することで前記ＩＰアドレスを取得する処理とを行う接続方法。
（付記９）無線通信装置と接続して投影を行う投影装置に、
当該投影装置に割り当てられたＩＰアドレスを暗号化して、前記無線通信装置と接続するための接続設定情報を生成する手順と、
前記接続設定情報を所定の変換アルゴリズムを用いて非可逆変換して変換後接続設定情報を生成する手順と、
前記変換後接続設定情報を、前記無線通信装置と接続するために用いるパスワードとして特定する手順と、
前記変換後接続設定情報のうちの所定の位置に配置された文字列を特定する手順と、
前記特定された文字列を表示する手順とを実行させるためのプログラム。
（付記１０）投影を行う投影装置と接続する無線通信装置に、
外部からの操作に基づいて、前記投影装置が表示する文字列を入力する手順と、
あらかじめ設定された接続設定情報の一覧に示されたすべての接続設定情報に対して、所定の変換アルゴリズムを用いて非可逆変換を行って変換後接続設定情報を生成する手順と、
前記入力した文字列と、前記変換後接続設定情報それぞれの第１の位置に配置された文字列とをそれぞれ比較し、一致した文字列に基づいて前記変換後接続設定情報および前記接続設定情報を特定する手順と、
前記特定した前記変換後接続設定情報を、前記投影装置と接続するために用いるパスワードとして特定する手順と、
前記特定した前記接続設定情報を復号化することで前記投影装置に割り当てられたＩＰアドレスを取得する手順とを実行させるためのプログラム。
【符号の説明】
【００２８】
１００    プロジェクタ
１１０    暗号化部
１２０，２３０    非可逆変換部
１３０，２５０    制御部
１４０，２８０    表示部
１５０，２２０    記憶部
１６０    アクセスポイント部
２００    ＰＣ
２１０    入力部
２４０    特定部
２６０    復号化部
２７０    通信部
３００    スクリーン
【図１】
2017143319.tif 000003
【図２】
2017143319.tif 000004
【図３】
2017143319.tif 000005
【図４】
2017143319.tif 000006
【図５】
2017143319.tif 000007
【図６】
2017143319.tif 000008
【図７】
2017143319.tif 000009
【図８】
2017143319.tif 000010
【図９】
2017143319.tif 000011